【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
本体頭部およびこの本体頭部より小径の柱部とから構成される金属製の保持体と、
上記柱部の外径より大きな外径を有している樹脂製の蓋部材が嵌合するように上記本体頭部に設けられた中空部と、
上記中空部から上記柱部に向かって設けられた小空間部と、
上記蓋部材に外部から認識可能となるように取り付けられ、上記蓋部材が上記中空部に嵌合し、かつ接着された状態で、上記小空間部の内部に入り込むこととなる無線通信可能なスティック状のＩＣタグと、を有することを特徴とするタグ保持体。
【請求項２】
無線通信可能なＩＣタグおよび蓋部材を有する平板状のＩＣタグ保有体と、
小径の柱部とこの柱部より大径で上記柱部の一端に設けられた本体頭部とから構成された保持体と、を有し、
上記ＩＣタグ保有体は、上記本体頭部内に保持されると共に、上記柱部の外径より大きな外径を有していることを特徴とするタグ保持体。
【請求項３】
無線通信可能な円盤状のＩＣタグおよび蓋部材を有する平板状のＩＣタグ保有体と、
柱部とこの柱部より大径の本体頭部とから構成され、上記本体頭部に上記ＩＣタグ保有体が嵌合されるための中空部が形成されている保持体と、を有し、
上記ＩＣタグ保有体は、上記本体頭部内に外部から認識可能となるように取り付けられると共に、
上記柱部の外径より大きな外径を有し、上記本体頭部の内部に、上記ＩＣタグ保有体の平面部が上記柱部の軸線方向に直交するように配置されていることを特徴とするタグ保持体。
【請求項４】
前記本体頭部の前記柱部から外れた箇所に、前記ＩＣタグ保有体と外部とをつなぐ貫通孔が設けられていることを特徴とする請求項２または３記載のタグ保持体。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
上記課題を解決するために、本発明のタグ保持体は、本体頭部およびこの本体頭部より小径の柱部とから構成される金属製の保持体と、柱部の外径より大きな外径を有している樹脂製の蓋部材が嵌合するように本体頭部に設けられた中空部と、中空部から柱部に向かって設けられた小空間部と、蓋部材に外部から認識可能となるように取り付けられ、蓋部材が中空部に嵌合し、かつ接着された状態で、小空間部の内部に入り込むこととなる無線通信可能なスティック状のＩＣタグと、を有している。
【手続補正１２】
【補正対象書類名】明細書
【補正対象項目名】００１６
【補正方法】変更
【補正の内容】
【００１６】
このように構成した場合には、ＩＣタグが蓋部材に保持されているため、蓋部材を中空部に嵌合することで、ＩＣタグを本体頭部に配置させることが可能となる。したがって、保持体が所定の場所に設置された場合、本体頭部は設置面等から突出するため、ＩＣタグは設備や地下等の内部ではなく、設置面の付近に配置されることとなる。よって、データを読み書きするためにリーダを本体頭部に近づけた場合、リーダとＩＣタグとの距離は近くなり、リーダから発せられる電波がＩＣタグに確実に送信され、リーダとＩＣタグの通信が正確に行われることとなる。また、蓋部材を樹脂材等の非導電体によって形成した場合、非導電体は電波を透過させるため、リーダとＩＣタグの間の通信が確実に行われることとなる。また、蓋部材を、柱部の外形より大きな外径とすることでタグ保持体の取扱性が向上する。
【手続補正１３】
【補正対象書類名】明細書
【補正対象項目名】００１７
【補正方法】変更
【補正の内容】
【００１７】
また、他の発明のタグ保持体は、無線通信可能なＩＣタグおよび蓋部材を有する平板状のＩＣタグ保有体と、小径の柱部とこの柱部より大径で柱部の一端に設けられた本体頭部とから構成された保持体と、を有し、ＩＣタグ保有体は、本体頭部内に保持されると共に、柱部の外形より大きな外径を有しているものである。
【手続補正１４】
【補正対象書類名】明細書
【補正対象項目名】００１８
【補正方法】変更
【補正の内容】
【００１８】
このように構成した場合には、保持体を所定の場所へ設置した場合でも、本体頭部は設置面等から突出するため、ＩＣタグは設備や地下等の内部ではなく、設置面の付近に配置されることとなる。よって、リーダを本体頭部に近づけた場合、リーダとＩＣタグの距離は近くなる。したがって、ＩＣタグの周囲が金属製の物体で完全に覆われている場合でも、リーダから発せられる電波がＩＣタグに確実に送信されることとなり、リーダとＩＣタグの通信が正確に行われることとなる。また、蓋部材を、柱部の外形より大きな外径とすることでタグ保持体の取扱性が向上する。
【手続補正１５】
【補正対象書類名】明細書
【補正対象項目名】００１９
【補正方法】変更
【補正の内容】
【００１９】
また、他の発明のタグ保持体は、無線通信可能な円盤状のＩＣタグおよび蓋部材を有する平板状のＩＣタグ保有体と、柱部とこの柱部より大径の本体頭部とから構成され、本体頭部にＩＣタグ保有体が嵌合されるための中空部が形成されている保持体と、を有し、ＩＣタグ保有体は、本体頭部内に外部から認識可能となるように取り付けられると共に、柱部の外径より大きな外径を有し、本体頭部の内部に、ＩＣタグ保有体の平面部が柱部の軸線方向に直交するように配置されているものである。
【手続補正１６】
【補正対象書類名】明細書
【補正対象項目名】００２０
【補正方法】変更
【補正の内容】
【００２０】
このように構成した場合には、蓋部材に円盤状のＩＣタグを保持させたＩＣタグ保有体を中空部に嵌合することで、ＩＣタグを本体頭部に配置させることが可能となる。したがって、リーダによってＩＣタグのデータを近い距離にて読み書きすることが可能となり、リーダから発せられる電波がＩＣタグに確実に送信され、リーダとＩＣタグとの通信が正確に行われることとなる。また、蓋部材を、柱部の外形より大きな外径とすることでタグ保持体の取扱性が向上する。
【手続補正１７】
【補正対象書類名】明細書
【補正対象項目名】００２１
【補正方法】変更
【補正の内容】
【００２１】
さらに、他の発明は、上述の発明に加えてさらに、本体頭部の柱部から外れた箇所に、ＩＣタグ保有体と外部とをつなぐ貫通孔が設けられているものである。このように構成した場合には、中空部に嵌合しているＩＣタグ保有体を外方に押すことによって、ＩＣタグ保有体を保持体の本体頭部から容易に取り外すことができることとなる。